(57)【要約】【課題】簡素な構成で攪拌能力を変更可能な攪拌装置を提供する。【解決手段】薬剤タンク２内の液体を油圧モータ５１の駆動力によって攪拌する攪拌装置５であって、油圧モータ５１に油を供給する供給管Ｌ２と、供給管Ｌ２から分岐された第１分岐管Ｌ１２及び第２分岐管Ｌ１３と、第１分岐管Ｌ１２に設けられ、第１分岐管Ｌ１２を流れる油の流通と流通の遮断とを切り替える第１切替弁Ｂ１と、第２分岐管Ｌ１３に設けられ、第２分岐管Ｌ１３を流れる油の流通と流通の遮断とを切り替える第２切換弁Ｂ２と、を備え、第２分岐管Ｌ１３は、第１分岐管Ｌ１２よりも管の内径の最小値が小さい。【選択図】図４
2019048260.tif 000002
【特許請求の範囲】
【請求項１】
タンク（２）内の液体を油圧モータ（５１）の駆動力によって攪拌する攪拌装置（５）であって、
前記油圧モータ（５１）に油を供給する供給管（Ｌ２）と、
前記供給管（Ｌ２）から分岐された第１分岐管（Ｌ１２）及び第２分岐管（Ｌ１３）と、
前記第１分岐管（Ｌ１２）に設けられ、前記第１分岐管（Ｌ１２）を流れる油の流通と流通の遮断とを切り替える第１切替弁（Ｂ１）と、
前記第２分岐管（Ｌ１３）に設けられ、前記第２分岐管（Ｌ１３）を流れる油の流通と流通の遮断とを切り替える第２切替弁（Ｂ２）と、
を備え、
前記第２分岐管（Ｌ１３）は、前記第１分岐管（Ｌ１２）よりも管の内径の最小値が小さい、攪拌装置（５）。
【請求項２】
前記第２分岐管（Ｌ１３）は、複数設けられ、
前記第２切替弁（Ｂ２）は、複数設けられると共に、複数の前記第２分岐管（Ｌ１３）にそれぞれ設けられる、請求項１に記載の攪拌装置（５）。
【請求項３】
前記第２分岐管（Ｌ１３）には、前記第１分岐管（Ｌ１２）よりも内径の最小値が小さいオリフィス（５５）が設けられている、請求項１又は２に記載の攪拌装置（５）。
【請求項４】
タンク（２）内の液体を油圧モータ（５１）の駆動力によって攪拌する攪拌装置（５Ａ）であって、
前記油圧モータ（５１）に油を供給する供給管（Ｌ２）と、
前記供給管（Ｌ２）から分岐された分岐管（Ｌ１０Ａ）と、
前記分岐管（Ｌ１０Ａ）に設けられ、前記分岐管（Ｌ１０Ａ）を流れる油の流量を変更可能な可変絞り弁（Ｂ３）と、を備える、攪拌装置（５Ａ）。
【発明の詳細な説明】
【技術分野】
【０００１】
本発明は、油圧モータでタンク内の液体を攪拌する攪拌装置に関する。
【背景技術】
【０００２】
水田や畑作において中間管理作業を行うための薬剤散布装置の一種であるブームスプレーヤがある。このようなブームスプレーヤが、例えば、特許文献１に記載されている。このようなブームスプレーヤは、液状の薬剤を貯留する薬剤タンクと、薬剤を散布するブームノズル装置と、薬剤タンク内の薬剤を吸引しブームノズル装置に圧送するポンプ装置と、薬剤タンク内に設置された攪拌羽根を回転させることによって薬剤を攪拌する攪拌装置とを備えている。薬剤を攪拌する攪拌装置において、攪拌羽根を回転させるための駆動源として油圧モータが用いられている。
【先行技術文献】
【特許文献】
【０００３】
【特許文献１】特開２０１６−４３３１７号公報
【発明の概要】
【発明が解決しようとする課題】
【０００４】
ここで、薬剤タンク内の薬剤を攪拌する攪拌装置では、攪拌する薬剤の種類等に応じて、攪拌能力が変更できることが好ましい。このため、油圧モータを用いた攪拌装置においては、簡素な構成で攪拌能力が変更できることが望まれている。
【０００５】
そこで、本発明は、簡素な構成で攪拌能力を変更可能な攪拌装置を提供することを目的とする。
【課題を解決するための手段】
【０００６】
本発明は、タンク（２）内の液体を油圧モータ（５１）の駆動力によって攪拌する攪拌装置（５）であって、油圧モータ（５１）に油を供給する供給管（Ｌ２）と、供給管（Ｌ２）から分岐された第１分岐管（Ｌ１２）及び第２分岐管（Ｌ１３）と、第１分岐管（Ｌ１２）に設けられ、第１分岐管（Ｌ１２）を流れる油の流通と流通の遮断とを切り替える第１切替弁（Ｂ１）と、第２分岐管（Ｌ１３）に設けられ、第２分岐管（Ｌ１３）を流れる油の流通と流通の遮断とを切り替える第２切替弁（Ｂ２）と、を備え、第２分岐管（Ｌ１３）は、第１分岐管（Ｌ１２）よりも管の内径の最小値が小さい。
【０００７】
この攪拌装置（５）において、第２分岐管（Ｌ１３）は、第１分岐管（Ｌ１２）よりも管の内径の最小値が小さい。従って、第１分岐管（Ｌ１２）を流れる油の流量と、第２分岐管（Ｌ１３）を流れる油の流量とは互いに異なる。このため、第１切替弁（Ｂ１）及び第２切替弁（Ｂ２）が油の流通と流通の遮断とを切り替えることにより、油圧モータ（５１）に供給される油の流量が変化する。すなわち、第１切替弁（Ｂ１）及び第２切替弁（Ｂ２）の両方とも油の流通を遮断している場合と、第１切替弁（Ｂ１）が油の流通を遮断し及び第２切替弁（Ｂ２）が油を流通させている場合と、第１切替弁（Ｂ１）が油を流通させ及び第２切替弁（Ｂ２）が油の流通を遮断している場合と、第１切替弁（Ｂ１）及び第２切替弁（Ｂ２）の両方とも油を流通させている場合とでは、油圧モータ（５１）に供給される油の流量が互いに異なる。このように、攪拌装置（５）は、第１切替弁（Ｂ１）及び第２切替弁（Ｂ２）の流通及び流通の遮断を切り替えるだけで、油圧モータ（５１）に供給される油の流量を４段階に切り替えることができる。油圧モータ（５１）に供給される油の流量が切り替えられることにより、油圧モータ（５１）の駆動力（回転軸の回転速度）が変化して攪拌能力が変更される。従って、攪拌装置（５）は、簡素な構成で攪拌能力を変更できる。
【０００８】
攪拌装置（５）において、第２分岐管（Ｌ１３）は、複数設けられ、第２切替弁（Ｂ２）は、複数設けられると共に、複数の第２分岐管（Ｌ１３）にそれぞれ設けられていてもよい。この場合、攪拌装置は、複数の第２分岐管（Ｌ１３）にそれぞれ設けられた第２切替弁（Ｂ２）の流通及び流通の遮断を切り替えることにより、油圧モータ（５１）に供給される油の流量をより一層細かく(より多くの段階に)切り替えることができる。これにより、攪拌装置（５）は、第１切替弁（Ｂ１）及び複数の第２切替弁（Ｂ２）の流通及び流通の遮断を切り替えるだけで、攪拌能力をより細かく制御できる。
【０００９】
攪拌装置（５）において、第２分岐管（Ｌ１３）には、第１分岐管（Ｌ１２）よりも内径の最小値が小さいオリフィス（５５）が設けられていてもよい。この場合、第２分岐管（Ｌ１３）は、オリフィス（５５）が設けられることによって、内径の最小値を第１分岐管（Ｌ１２）よりも容易に小さくできる。
【００１０】
また、本発明は、タンク（２）内の液体を油圧モータ（５１）の駆動力によって攪拌する攪拌装置（５Ａ）であって、油圧モータ（５１）に油を供給する供給管（Ｌ２）と、供給管（Ｌ２）から分岐された分岐管（Ｌ１０Ａ）と、分岐管（Ｌ１０Ａ）に設けられ、分岐管（Ｌ１０Ａ）を流れる油の流量を変更可能な可変絞り弁（Ｂ３）と、を備える。
【００１１】
この攪拌装置（５Ａ）は、可変絞り弁（Ｂ３）によって分岐管（Ｌ１０Ａ）を流れる油の流量を変更するだけで、油圧モータ（５１）に供給される油の流量を無段階に切り替えることができる。このように、油圧モータ（５１）に供給される油の流量が切り替えられることにより、油圧モータ（５１）の駆動力（回転軸の回転速度）が変化して攪拌能力が変更される。従って、攪拌装置（５Ａ）は、簡素な構成で攪拌能力を変更できる。
【発明の効果】
【００１２】
本発明によれば、簡素な構成で攪拌能力を変更できる。
【図面の簡単な説明】
【００１３】
【図１】本発明の実施形態に係る攪拌装置が適用された薬剤散布装置を後方から見た斜視図である。
【図２】図１の薬剤散布装置を前方から見た斜視図である。
【図３】図１の薬剤タンク下部の断面図である。
【図４】攪拌装置の全体構成を示すブロック図である。
【図５】変形例における攪拌装置の全体構成を示すブロック図である。
【発明を実施するための形態】
【００１４】
以下、本発明の実施形態について、図面を参照しながら説明する。なお、図面の説明において同一要素には同一符号を付し、重複する説明は省略する。本明細書及び特許請求の範囲において使用されている「上」、「下」、「左」、「右」、「前」、「後」等の方向を示す語は、水平面上の走行車（トラクタ等）に薬剤散布装置を設置した状態において、当該走行車の通常の前進方向を前方と定めた状態を基準としている。
【００１５】
図１および図２に示されるように、ブームスプレーヤ１は、トラクタ（図示せず）の後部に装着される薬剤散布装置である。ブームスプレーヤ１は、合成樹脂の成形品である薬剤タンク（タンク）２と、この薬剤タンク２内の液状の薬剤（液体）を吸引して圧送するポンプ装置３と、ポンプ装置３から送られてくる薬剤を散布するブームノズル装置４とを備えている。
【００１６】
ブームスプレーヤ１は、薬剤タンク２を固定するためのフレーム１０を備えている。フレーム１０は、走行車に対してブームスプレーヤ１を固定する。フレーム１０は、主として鋼製であり、薬剤タンク２の下方および前方に配置された前側フレーム２０と、薬剤タンク２の後方に配置された後ろ側フレーム３０と、前側フレーム２０および後ろ側フレーム３０に連結されて薬剤タンク２の左右の側方に沿って延びる右側フレーム４０Ｒおよび左側フレーム４０Ｌと、薬剤タンク２の前方および後方のそれぞれに沿って延びる押圧フレーム５０とを有する。ブームスプレーヤ１は、薬剤タンク２を取り囲むように配されたフレーム１０によって、薬剤タンク２を固定する固定構造Ｘを備えている。
【００１７】
ブームノズル装置４は、後ろ側フレーム３０の後部に水平方向に揺動可能に取り付けられたターンブーム６と、ターンブーム６の先端部に上下方向及び水平方向に揺動可能に取り付けられたサイドブーム７とを有している。ターンブーム６を１８０度揺動させることにより、サイドブーム７を右方および左方に延ばすことが可能になっている。ブームスプレーヤ１による作業時には、ターンブーム６とサイドブーム７とはほぼ一直線上に配置され、右方向又は左方向にサイドブーム７を延出させる。サイドブーム7には送液パイプ８が取り付けられており、ポンプ装置３から圧送された薬剤が送液パイプ８のノズル９から噴射されるようになっている。なお、フレーム１０の下部には、トラクタの下部にも薬剤を散布することができるよう、複数のノズル９が設けられている。なお、ブームスプレーヤ１は、左右方向のいずれか一方にのみサイドブーム７が取り付けられるタイプに限られず、左右一対のサイドブームがセンターブームの両端に取り付けられるタイプであってもよい。
【００１８】
薬剤タンク２は、フレーム１０の前側フレーム２０上に載置されており、さらに、前側フレーム２０、後ろ側フレーム３０、右側フレーム４０Ｒおよび左側フレーム４０Ｌによって、前後左右の側面を取り囲まれている。すなわち、薬剤タンク２は、フレーム１０に支持されている。
【００１９】
また、ブームスプレーヤ１は、薬剤タンク２内の薬剤を攪拌する攪拌装置５(図４参照)を備えている。以下、攪拌装置５の詳細について説明する。図３及び図４に示されるように、攪拌装置５は、油圧モータ５１と、攪拌羽根５２と、油圧ポンプ５３とを備えている。攪拌羽根５２は、薬剤タンク２の内部の底部に配置されている。油圧モータ５１は、供給された油の流れによって回転軸を回転させるモータである。油圧モータ５１は、薬剤タンク２の下面に取り付けられている。油圧モータ５１の回転軸は、薬剤タンク２の底面を貫通して、薬剤タンク２の内部に配置された攪拌羽根５２に連結されている。油圧モータ５１の駆動力によって攪拌羽根５２が回転させられ、薬剤タンク２内の薬剤が攪拌される。
【００２０】
油圧ポンプ５３は、油圧モータ５１に油を供給する。ここで、油圧モータ５１に供給される油の配管について説明する。また、以下の説明における「上流」及び「下流」とは、各配管における油の流れ方向の上流及び下流である。図４に示されるように、攪拌装置５は、吸引管Ｌ１と、供給管Ｌ２と、排出管Ｌ３とを備えている。吸引管Ｌ１の上流側の端部は、油タンク５４に接続されている。吸引管Ｌ１の下流側の端部は、油圧ポンプ５３に接続されている。油圧ポンプ５３は、吸引管Ｌ１を介して油タンク５４から油を吸引する。
【００２１】
供給管Ｌ２の上流側の端部は、油圧ポンプ５３に接続されている。供給管Ｌ２の下流側の端部は、油圧モータ５１に接続されている。供給管Ｌ２は、油圧モータ５１に油圧を供給する。具体的には、油圧ポンプ５３は、吸引した油を供給管Ｌ２を介して油圧モータ５１に供給する。排出管Ｌ３の上流側の端部は、油圧モータ５１に接続されている。排出管Ｌ３の下流側の端部は、油タンク５４に接続されている。油圧モータ５１は、供給管Ｌ２を介して供給された油によって攪拌羽根５２を回転させた後、排出管Ｌ３を介して油タンク５４に油を排出する。
【００２２】
また、攪拌装置５は、分岐管Ｌ１０と、第１切替弁Ｂ１と、第２切換弁Ｂ２とを備えている。分岐管Ｌ１０の上流側の端部は、供給管Ｌ２に接続されている。分岐管Ｌ１０の下流側の端部は、排出管Ｌ３に接続されている。すなわち、分岐管Ｌ１０は、供給管Ｌ２を分岐させている。
【００２３】
分岐管Ｌ１０は、上流側分岐管Ｌ１１と、第１分岐管Ｌ１２と、第２分岐管Ｌ１３と、下流側分岐管Ｌ１４とを備えている。上流側分岐管Ｌ１１の上流側の端部は、供給管Ｌ２に接続されている。上流側分岐管Ｌ１１の下流側の端部は、第１分岐管Ｌ１２の上流側の端部及び第２分岐管Ｌ１３の上流側の端部に接続されている。第１分岐管Ｌ１２の下流側の端部及び第２分岐管Ｌ１３の下流側の端部は、それぞれ下流側分岐管Ｌ１４の上流側の端部に接続されている。下流側分岐管Ｌ１４の下流側の端部は、排出管Ｌ３に接続されている。
【００２４】
このように、第１分岐管Ｌ１２は、上流側分岐管Ｌ１１を介して供給管Ｌ２から分岐している。第２分岐管Ｌ１３は、上流側分岐管Ｌ１１を介して供給管Ｌ２から分岐している。第１分岐管Ｌ１２と第２分岐管Ｌ１３とは、油の流れにおいて並列に接続されている。
【００２５】
第２分岐管Ｌ１３は、第１分岐管Ｌ１２よりも管の内径の最小値が小さい。すなわち、第２分岐管Ｌ１３は、第１分岐管Ｌ１２よりも管の内径が絞られた部位を有している。本実施形態において、第２分岐管Ｌ１３には、第１分岐管Ｌ１２よりも内径の最小値が小さいオリフィス５５が設けられている。このように、オリフィス５５が設けられることによって、第２分岐管Ｌ１３の管の内径の最小値が第１分岐管Ｌ１２よりも小さくされている。
【００２６】
第１切替弁Ｂ１は、第１分岐管Ｌ１２に対して設けられている。第１切替弁Ｂ１は、第１分岐管Ｌ１２を流れる油の流通と、流通の遮断とを切り替える。第２切換弁Ｂ２は、第２分岐管Ｌ１３に対して設けられている。第２切換弁Ｂ２は、第２分岐管Ｌ１３を流れる油の流通と、流通の遮断とを切り替える。本実施形態では、第１切替弁Ｂ１及び第２切換弁Ｂ２として、電磁弁（シャットオフバルブ）が用いられている。第１切替弁Ｂ１及び第２切換弁Ｂ２における流通及び流通の遮断は、切換スイッチ５６によって切り替えられる。すなわち、第１切替弁Ｂ１及び第２切換弁Ｂ２は、切換スイッチ５６からの制御信号に基づいて流通及び流通の遮断を切り替える。切換スイッチ５６は、ブームスプレーヤ１の使用者によって操作される。なお、図４において、切換スイッチ５６と第１切替弁Ｂ１及び第２切換弁Ｂ２とをつなぐ信号線ＳＬは、破線で示されている。
【００２７】
この攪拌装置５では、第１切替弁Ｂ１及び第２切換弁Ｂ２が油の流通と流通の遮断とを切り替えることにより、油圧モータ５１に供給される油の流量が変化する。すなわち、第１切替弁Ｂ１及び第２切換弁Ｂ２の両方とも油の流通を遮断している場合と、第１切替弁Ｂ１が油の流通を遮断し及び第２切換弁Ｂ２が油を流通させている場合と、第１切替弁Ｂ１が油を流通させ及び第２切換弁Ｂ２が油の流通を遮断している場合と、第１切替弁Ｂ１及び第２切換弁Ｂ２の両方とも油を流通させている場合とでは、油圧モータ５１に供給される油の流量が互いに異なる。
【００２８】
このように、攪拌装置５は、第１切替弁Ｂ１及び第２切換弁Ｂ２の流通及び流通の遮断を切り替えるだけで、油圧モータ５１に供給される油の流量を４段階に切り替えることができる。油圧モータ５１に供給される油の流量が切り替えられることにより、油圧モータ５１の駆動力（回転軸の回転速度）が変化する。すなわち、攪拌羽根５２の回転速度が変化する。
【００２９】
以下、第１切替弁Ｂ１及び第２切換弁Ｂ２によって油圧モータ５１に供給される油の流量を切り替えたときの攪拌羽根５２の回転速度を、パターン１〜４に場合分けして具体的に説明する。
【００３０】
パターン１：第１切替弁Ｂ１及び第２切換弁Ｂ２の両方とも油の流通を遮断している場合、供給管Ｌ２を流れる油は全て油圧モータ５１に供給される。このため、攪拌羽根５２は高速で回転する。
【００３１】
パターン２：第１切替弁Ｂ１が油の流通を遮断し及び第２切換弁Ｂ２が油を流通させている場合、供給管Ｌ２を流れる油の一部が分岐管Ｌ１０（第２分岐管Ｌ１３）を流れ、残りの油が油圧モータ５１に供給される。このため、パターン２の場合、パターン１の場合に比べて攪拌羽根５２の回転速度は遅くなる。
【００３２】
パターン３：第１切替弁Ｂ１が油を流通させ及び第２切換弁Ｂ２が油の流通を遮断している場合、供給管Ｌ２を流れる油の一部が分岐管Ｌ１０（第１分岐管Ｌ１２）を流れ、残りの油が油圧モータ５１に供給される。なお、第１分岐管Ｌ１２は、第２分岐管Ｌ１３に比べて管の内径の最小値が大きい。すなわち、第１分岐管Ｌ１２の方が、第２分岐管Ｌ１３よりも油が流れ易い。このため、パターン３の場合、パターン２の場合に比べて分岐管Ｌ１０（第１分岐管Ｌ１２）を流れる油の量が多い。従って、パターン３の場合、パターン２の場合に比べて攪拌羽根５２の回転速度は遅くなる。
【００３３】
パターン４：第１切替弁Ｂ１及び第２切換弁Ｂ２の両方とも油を流通させている場合、供給管Ｌ２を流れる油の大部分が分岐管Ｌ１０（第１分岐管Ｌ１２及び第２分岐管Ｌ１３）を流れ、残りの僅かな油が油圧モータ５１に供給される。このため、パターン４の場合、パターン３の場合に比べて攪拌羽根５２の回転速度は遅くなる。
【００３４】
このように、パターン１〜４の順で、油圧モータ５１に供給される油の流量が少なくなり、攪拌羽根５２の回転速度が遅くなる。なお、パターン４の場合、油圧モータ５１に供給される油の流量が非常に少ないために、油圧モータ５１が回転しない構成であってもよい。
【００３５】
以上のように、攪拌装置５において、第２分岐管Ｌ１３は、第１分岐管Ｌ１２よりも管の内径の最小値が小さい。従って、第１分岐管Ｌ１２を流れる油の流量と、第２分岐管Ｌ１３を流れる油の流量とは互いに異なる。このため、攪拌装置５は、第１切替弁Ｂ１及び第２切換弁Ｂ２の流通及び流通の遮断を切り替えるだけで、油圧モータ５１に供給される油の流量を４段階に切り替えることができる。油圧モータ５１に供給される油の流量が切り替えられることにより、油圧モータ５１の駆動力（回転軸の回転速度）が変化して攪拌能力（攪拌羽根５２の回転速度）が変更される。従って、攪拌装置５は、簡素な構成で攪拌能力を変更できる。
【００３６】
第１切替弁Ｂ１及び第２切換弁Ｂ２における流通及び流通の遮断は、ブームスプレーヤ１の使用者が切換スイッチ５６を操作することによって切り替えられる。すなわち、使用者は、切換スイッチ５６を操作することによって、攪拌装置５における攪拌能力を変更できる。これにより、使用者は、切換スイッチ５６を操作するだけで、使用する薬剤に応じて強い攪拌、及び弱い攪拌（泡立ち防止）等、攪拌能力を切り替えることができる。また、上記のパターン４（第１切替弁Ｂ１及び第２切換弁Ｂ２の両方が流通状態）のときには油圧モータ５１が回転しない構成の場合、使用者は、切換スイッチ５６を操作することによって適宜のタイミングで薬剤の攪拌を停止させることができる。
【００３７】
第２分岐管Ｌ１３には、第１分岐管Ｌ１２よりも内径の最小値が小さいオリフィス５５が設けられている。この場合、第２分岐管Ｌ１３は、オリフィス５５が設けられることによって、内径の最小値を第１分岐管Ｌ１２よりも容易に小さくできる。従って、第１分岐管Ｌ１２を流れる油の流量と、第２分岐管Ｌ１３を流れる油の流量とを容易に変更できる。
【００３８】
以上、本発明の実施形態について説明したが、本発明は、上記実施形態に限定されるものではない。例えば、第２分岐管Ｌ１３が複数設けられ、各第２分岐管Ｌ１３に対してそれぞれ第２切換弁Ｂ２が設けられていてもよい。この場合、各第２分岐管Ｌ１３に対し、オリフィス５５がそれぞれ設けられていてもよい。各第２分岐管Ｌ１３に設けられるオリフィス５５は、互いに内径が異なっていてもよく、互いに同じ内径であってもよい。この場合、攪拌装置５は、複数の第２分岐管Ｌ１３にそれぞれ設けられた第２切換弁Ｂ２の流通及び流通の遮断を切り替えることにより、油圧モータ５１に供給される油の流量をより一層細かく(より多くの段階に)切り替えることができる。これにより、攪拌装置５は、第１切替弁Ｂ１及び第２切換弁Ｂ２の流通及び流通の遮断を切り替えるだけで、攪拌能力をより細かく制御できる。
【００３９】
また、実施形態の攪拌装置５では、第２分岐管Ｌ１３にオリフィス５５を設けることによって、管の内径を小さくしたが、オリフィス５５を設けることに限定されない。例えば、第２分岐管Ｌ１３に絞りが設けられていてもよい。また、第２分岐管Ｌ１３の内径自体が、第１分岐管Ｌ１２の内径よりも小さい構成であってもよい。
【００４０】
第１切替弁Ｂ１及び第２切換弁Ｂ２は、電磁弁以外の弁であってもよい。例えば、第１切替弁Ｂ１及び第２切換弁Ｂ２は、使用者によって手動で弁の位置を調整する等の方法によって、流通及び流通の遮断が切り替えられる構成であってもよい。
【００４１】
次に、攪拌装置５の変形例について説明する。図５に示されるように、変形例における攪拌装置５Ａは、実施形態における攪拌装置５の分岐管Ｌ１０と、第１切替弁Ｂ１と、第２切換弁Ｂ２と、オリフィス５５と、切換スイッチ５６とに代えて、分岐管Ｌ１０Ａと、可変絞り弁Ｂ３と、流量計５７と、調整スイッチ５６Ａとを備えている。攪拌装置５Ａの他の構成は、実施形態の攪拌装置５と同様であり、同一符合を付して詳細な説明を省略する。
【００４２】
分岐管Ｌ１０Ａの上流側の端部は、供給管Ｌ２に接続されている。分岐管Ｌ１０Ａの下流側の端部は、排出管Ｌ３に接続されている。すなわち、分岐管Ｌ１０Ａは、供給管Ｌ２から分岐している。可変絞り弁Ｂ３は、分岐管Ｌ１０Ａに対して設けられている。可変絞り弁Ｂ３は、分岐管Ｌ１０Ａを流れる油の流量を無段階に変更することができる。可変絞り弁Ｂ３における流量の切り替えは、調整スイッチ５６Ａによって制御される。すなわち、可変絞り弁Ｂ３は、調整スイッチ５６Ａからの制御信号に基づいて流量を変更する。調整スイッチ５６Ａは、ブームスプレーヤ１の使用者によって操作される。流量計５７は、分岐管Ｌ１０Ａを流れる油の流量を計測する。例えば、使用者は、流量計５７で計測された流量を確認しながら調整スイッチ５６Ａを操作することによって、可変絞り弁Ｂ３における流量の変更を行うことができる。
【００４３】
本変形例において攪拌装置５Ａは、可変絞り弁Ｂ３によって分岐管Ｌ１０Ａを流れる油の流量を変更するだけで、油圧モータ５１に供給される油の流量を無段階に切り替えることができる。このように、油圧モータ５１に供給される油の流量が切り替えられることにより、油圧モータ５１の駆動力（回転軸の回転速度）が変化して攪拌能力が変更される。従って、攪拌装置５Ａは、簡素な構成で攪拌能力を変更できる。
【００４４】
以上のように、攪拌装置５及び５Ａは、ブームスプレーヤ１に設けられた薬剤タンク２内の薬剤を攪拌する装置としたが、ブームスプレーヤ１に適用されることに限定されない。ブームスプレーヤ１以外の装置に攪拌装置５及び５Ａが適用されてもよい。
【符号の説明】
【００４５】
２…薬剤タンク（タンク）、５，５Ａ…攪拌装置、５１…油圧モータ、５５…オリフィス、Ｂ１…第１切替弁、Ｂ２…第２切換弁、Ｂ３…可変絞り弁、Ｌ２…供給管、Ｌ１０Ａ…分岐管、Ｌ１２…第１分岐管、Ｌ１３…第２分岐管。
【図１】
2019048260.tif 000003
【図２】
2019048260.tif 000004
【図３】
2019048260.tif 000005
【図４】
2019048260.tif 000006
【図５】
2019048260.tif 000007